(57)【要約】【課題】ノズルが往復運動しても本体の振動が発生することがないことを目的とする。【解決手段】モータ１３にクランクの一方の軸を連結し、クランクの偏心された別の軸とリンクを連結し、リンクと案内板を連結し、クランクからリンクを介して案内板へ動作を伝え、案内板は複数の支持部により保持されて往復運動する構成において、モータ１３と案内板と支持部は一つの固定部材に固定され、固定部材は弾性体を介して吹出風路１０に支持していることにより、ノズル７が往復運動しても本体１１の振動が発生することがない手乾燥装置を提供できる。【選択図】図１
2011036635.tif 000002
【特許請求の範囲】
【請求項１】
外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記モータと案内板と支持部は一つの固定部材に固定され、固定部材は弾性体を介して吹出風路に支持していることを特徴とする手乾燥装置。
【請求項２】
外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記案内板と前記支持部の間に弾性を有する防振部材を介して支持していることを特徴とする手乾燥装置。
【請求項３】
外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記モータと案内板と支持部は一つの固定部材に固定され、固定部材は弾性体を介して吹出風路に支持し、前記案内板と前記支持部の間に弾性を有する防振部材を介して支持していることを特徴とする手乾燥装置。
【請求項４】
案内板と上側の支持部との間にばね機構を有する防振部材を設け、下方から防振部材に押し荷重を加えて保持していることを特徴とする請求項２または３記載の手乾燥装置。
【請求項５】
吹出口より下部にモータを配置しないことを特徴とする請求項１〜３のいずれかに記載の手乾燥装置。
【請求項６】
モータにトルクアップ機構を設けたことを特徴とする請求項１〜４のいずれかに記載の手乾燥装置。
【請求項７】
支持部は回転抵抗の低い回転体であることを特徴とする請求項１〜４のいずれかに記載の手乾燥装置。
【請求項８】
案内板に摺動方向と略平行になるよう壁面を設け、前記壁面間で支持部が摺動することを特徴とする請求項１〜４のいずれかに記載の手乾燥装置。
【請求項９】
案内板は摺動性の良い材料を使用したことを特徴とする請求項１〜４のいずれかに記載の手乾燥装置。
【請求項１０】
防振部材に摺動方向と略平行になるよう壁面を設けたことを特徴とする請求項２〜４のいずれかに記載の手乾燥装置。
【請求項１１】
防振部材は摺動性の良い材料を使用したことを特徴とする請求項２〜４のいずれかに記載の手乾燥装置。
【請求項１２】
案内板の上側を支持する支持部は、ばね機構で上方から押し荷重を加えて保持していることを特徴とする請求項２〜４のいずれかに記載の手乾燥装置。
【請求項１３】
支持部は回転軸を有し、ばね機構で引っ張り荷重を加えて案内板を保持していることを特徴とする請求項２〜４のいずれかに記載の手乾燥装置。
【請求項１４】
回転軸を有する支持部で案内板を押さえ、前記支持部にかかる荷重を調整できるようばね固定位置が変更できることを特徴とする請求項１３記載の手乾燥装置。
【請求項１５】
回転軸を有する支持部で案内板を押さえ、前記支持部にかかる荷重が一定となるよう自動で調整することを特徴とする請求項２〜４、１２〜１４のいずれかに記載の手乾燥装置。
【請求項１６】
案内板のリンク側に、案内板を補強する補強部を設けたことを特徴とする請求項１〜３のいずれかに記載の手乾燥装置。
【請求項１７】
補強部に、リンクと案内部との間にＲ形状部を設けたことを特徴とする請求項１６記載の手乾燥装置。
【請求項１８】
案内部に、Ｒ形状部からノズルを挟んだ反対側に案内板を補強する補強リブを設けたことを特徴とする請求項１〜３、１６、１７のいずれかに記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来より、洗浄後の濡れた手を乾燥させる装置として、高速噴流を送出するためのファンモータを用いて、手を挿入して乾燥させるための乾燥室へノズルから高速空気流を噴出し、手に付着した水滴を吹き飛ばして乾燥させる、手乾燥装置が知られている（例えば、特許文献１参照）。
【先行技術文献】
【特許文献】
【０００３】
【特許文献１】特開２００９−０３９２７０号公報
【発明の概要】
【発明が解決しようとする課題】
【０００４】
このような従来の手乾燥装置では、ノズルの往復運動による本体の振動が発生するという課題がある。
【０００５】
本発明は、このような従来の課題を解決するものであり、ノズルが往復運動しても本体の振動が発生することがない手乾燥装置を提供することを目的とする。
【課題を解決するための手段】
【０００６】
本発明の手乾燥装置は、上記目的を達成するために、外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記モータと案内板と支持部は一つの固定部材に固定され、固定部材は弾性体を介して吹出風路に支持しているものである。
【０００７】
また、他の手段は、外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記案内板と前記支持部の間に弾性を有する防振部材を介して支持しているものである。
【０００８】
また、他の手段は、外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記モータと案内板と支持部は一つの固定部材に固定され、固定部材は弾性体を介して吹出風路に支持し、前記案内板と前記支持部の間に弾性を有する防振部材を介して支持しているものである。
【０００９】
また、他の手段は、案内板と上側の支持部との間にばね機構を有する防振部材を設け、下方から防振部材に押し荷重を加えて保持しているものである。
【００１０】
また、他の手段は、吹出口より下部にモータを配置しないものである。
【００１１】
また、他の手段は、モータにトルクアップ機構を設けたものである。
【００１２】
また、他の手段は、支持部は回転抵抗の低い回転体のものである。
【００１３】
また、他の手段は、案内板に摺動方向と略平行になるよう壁面を設け、前記壁面間で支持部が摺動するものである。
【００１４】
また、他の手段は、案内板は摺動性の良い材料を使用したものである。
【００１５】
また、他の手段は、防振部材に摺動方向と略平行になるよう壁面を設けたものである。
【００１６】
また、他の手段は、防振部材は摺動性の良い材料を使用したものである。
【００１７】
また、他の手段は、案内板の上側を支持する支持部は、ばね機構で上方から押し荷重を加えて保持しているものである。
【００１８】
また、他の手段は、支持部は回転軸を有し、ばね機構で引っ張り荷重を加えて案内板を保持しているものである。
【００１９】
また、他の手段は、回転軸を有する支持部で案内板を押さえ、前記支持部にかかる荷重を調整できるようばね固定位置が変更できるものである。
【００２０】
また、他の手段は、回転軸を有する支持部で案内板を押さえ、前記支持部にかかる荷重が一定となるよう自動で調整するものである。
【発明の効果】
【００２１】
本発明によれば、外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記モータと案内板と支持部は一つの固定部材に固定され、固定部材は弾性体を介して吹出風路に支持していることにより、ノズルが往復運動しても本体の振動が発生することがないという効果のある手乾燥装置を提供することができる。
【００２２】
また、外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記案内板と前記支持部の間に弾性を有する防振部材を介して支持していることにより、ノズルが往復運動しても本体の振動が発生することがないという効果のある手乾燥装置を提供することができる。
【００２３】
また、外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記モータと案内板と支持部は一つの固定部材に固定され、固定部材は弾性体を介して吹出風路に支持し、前記案内板と前記支持部の間に弾性を有する防振部材を介して支持していることにより、ノズルが往復運動しても本体の振動がより発生することがないという効果のある手乾燥装置を提供することができる。
【００２４】
また、案内板と上側の支持部との間にばね機構を有する防振部材を設け、下方から防振部材に押し荷重を加えて保持していることにより、部品のばらつきによる振動を低減することができるという効果のある手乾燥装置を提供することができる。
【００２５】
また、吹出口より下部にモータを配置しないことにより、水がかかりモータが故障することによる振動を低減することができるという効果のある手乾燥装置を提供することができる。
【００２６】
また、モータにトルクアップ機構を設けたことにより、モータの負荷を低減し、振動を低減することができるという効果のある手乾燥装置を提供することができる。
【００２７】
また、支持部は回転抵抗の低い回転体であることにより、回転抵抗が低いことにより、スムーズに案内板が往復運動することにより、振動を低減するこができるという効果のある手乾燥装置を提供することができる。
【００２８】
また、案内板に摺動方向と略平行になるよう壁面を設け、前記壁面間で支持部が摺動することにより、スムーズに案内板が往復運動することにより、摺動方向と垂直方向の振動を低減するこができるという効果のある手乾燥装置を提供することができる。
【００２９】
また、案内板は摺動性の良い材料を使用したことにより、案内板がスムーズに摺動することにより、振動を低減することができるという効果のある手乾燥装置を提供することができる。
【００３０】
また、防振部材に摺動方向と略平行になるよう壁面を設けたことにより、スムーズに防振部材が往復運動することにより、摺動方向と垂直方向の振動を低減するこができるという効果のある手乾燥装置を提供することができる。
【００３１】
また、防振部材は摺動性の良い材料を使用したことにより、防振部財がスムーズに摺動することにより、振動を低減することができるという効果のある手乾燥装置を提供することができる。
【００３２】
また、案内板の上側を支持する支持部は、ばね機構で上方から押し荷重を加えて保持していることにより、部品のばらつきによる振動を低減することができるという効果のある手乾燥装置を提供することができる。
【００３３】
また、支持部は回転軸を有し、ばね機構で引っ張り荷重を加えて案内板を保持していることにより、部品のばらつきによる振動を低減することができるという効果のある手乾燥装置を提供することができる。
【００３４】
また、回転軸を有する支持部で案内板を押さえ、前記支持部にかかる荷重を調整できるようばね固定位置が変更できることにより、案内板が安定した往復運動をし、振動を低減することができるという効果のある手乾燥装置を提供することができる。
【００３５】
また、回転軸を有する支持部で案内板を押さえ、前記支持部にかかる荷重が一定となるよう自動で調整することにより、案内板が更に安定した往復運動をし、振動を低減することができるという効果のある手乾燥装置を提供することができる。
【図面の簡単な説明】
【００３６】
【図１】本発明の実施の形態１の手乾燥装置の内部を示す構成図
【図２】同手乾燥装置のノズルを示す斜視図
【図３】同手乾燥装置のノズルを示す拡大斜視図
【図４】同手乾燥装置のノズルを示す断面図
【図５】同手乾燥装置のノズルを示す正面図
【図６】同手乾燥装置のノズルを示す正面図
【図７】同手乾燥装置のノズルを示す正面図
【図８】本発明の実施の形態２の手乾燥装置のノズルを示す構成図
【図９】同手乾燥装置の案内板を示す斜視図
【発明を実施するための形態】
【００３７】
本発明の請求項１記載の手乾燥装置は、外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記モータと案内板と支持部は一つの固定部材に固定され、固定部材は弾性体を介して吹出風路に支持していることとしたものであり、モータと案内板から発生する振動が固定部材に伝搬し、本体の外郭に伝わるのを、弾性体が吸収するという作用を有する。
【００３８】
また、外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記案内板と前記支持部の間に弾性を有する防振部材を介して支持していることとしたものであり、モータと案内板から発生する振動が固定部材に伝搬し、本体の外郭に伝わるのを、防振部材が吸収するという作用を有する。
【００３９】
また、外気を取り入れる吸込口と、前記吸込口から取り込んだ空気を高圧気流発生装置まで案内する風路を形成する面で構成された吸込風路と、前記高圧気流発生装置により昇圧された空気をノズルまで案内する風路を形成する面で構成された吹出風路を本体内に備え、複数の前記ノズルを間隔をおいて配列し、前記ノズルの噴出方向を往復運動させるようにした手乾燥装置であって、モータにクランクの一方の軸を連結し、前記クランクの偏心された別の軸とリンクを連結し、前記リンクと案内板を連結し、前記クランクから前記リンクを介して前記案内板へ動作を伝え、前記案内板は複数の支持部により保持されて往復運動する構成において、前記モータと案内板と支持部は一つの固定部材に固定され、固定部材は弾性体を介して吹出風路に支持し、前記案内板と前記支持部の間に弾性を有する防振部材を介して支持していることとしたものであり、モータと案内板から発生する振動が固定部材に伝搬し、本体の外郭に伝わるのを、弾性体が吸収し、かつ、防振部材でも吸収するという作用を有する。
【００４０】
また、案内板と上側の支持部との間にばね機構を有する防振部材を設け、下方から防振部材に押し荷重を加えて保持していることとしたものであり、案内板と上側の支持部との間にばね機構を有する防振部材を設けて、下方から防振部材に押し荷重を加えて保持するという作用を有する。
【００４１】
また、吹出口より下部にモータを配置しないこととしたものであり、吹出口より下部にモータを配置しない、すなわち、左右あるいは上部に配置するという作用を有する。
【００４２】
また、モータにトルクアップ機構を設けたこととしたものであり、トルクアップ機構によりモータのトルクを向上させるという作用を有する。
【００４３】
また、支持部は回転抵抗の低い回転体であることとしたものであり、回転抵抗の低い回転体で支持部が回転するという作用を有する。
【００４４】
また、案内板に摺動方向と略平行になるよう壁面を設け、前記壁面間で支持部が摺動することとしたものであり、案内板に摺動方向と略平行になるよう壁面で、支持部が摺動するという作用を有する。
【００４５】
また、案内板は摺動性の良い材料を使用したこととしたものであり、案内板が摺動性の良い材料であるという作用を有する。
【００４６】
また、防振部材に摺動方向と略平行になるよう壁面を設けたこととしたものであり、防振部材に摺動方向と略平行になるよう壁面を設けるという作用を有する。
【００４７】
また、防振部材は摺動性の良い材料を使用したこととしたものであり、防振部材が摺動性の良い材料であるという作用を有する。
【００４８】
また、案内板の上側を支持する支持部は、ばね機構で上方から押し荷重を加えて保持していることとしたものであり、案内板の上側を支持する支持部は、ばね機構で上方から押して荷重を加えて保持するという作用を有する。
【００４９】
また、支持部は回転軸を有し、ばね機構で引っ張り荷重を加えて案内板を保持していることとしたものであり、回転軸を有した支持部を、ばね機構で引っ張り荷重を加えて案内板を保持するという作用を有する。
【００５０】
また、回転軸を有する支持部で案内板を押さえ、前記支持部にかかる荷重を調整できるようばね固定位置が変更できることとしたものであり、回転軸を有する支持部で案内板を押さえて、支持部にかかる荷重を調整できるようばね固定位置が変更でき、一定の荷重で押さえられるという作用を有する。
【００５１】
また、回転軸を有する支持部で案内板を押さえ、前記支持部にかかる荷重が一定となるよう自動で調整することとしたものであり、回転軸を有する支持部で案内板を押さえ、自動で支持部にかかる荷重が一定となるようにするという作用を有する。
【００５２】
以下、本発明の実施の形態について、図面を参照しながら説明する。
【００５３】
（実施の形態１）
図１〜図７に示すように、外気１を取り入れる吸込口２と、吸込口２から取り込んだ空気を高圧気流発生装置３まで案内する風路４を形成する面５で構成された吸込風路６と、高圧気流発生装置３により昇圧された空気をノズル７まで案内する風路８を形成する面９で構成された吹出風路１０を本体１１内に備え、複数のノズル７を間隔をおいて配列し、ノズル７の噴出方向１２を往復運動させるようにした手乾燥装置であって、モータ１３にクランク１４の一方の軸１５を連結し、クランク１４の偏心１６された別の軸１７とリンク１８を連結し、リンク１８と案内板１９を連結し、クランク１４からリンク１８を介して案内板１９へ動作を伝え、案内板１９は複数の支持部２０により保持されて往復運動する構成において、モータ１３と案内板１９と支持部２０は一つの固定部材２１に固定され、固定部材２１は弾性体を介して吹出風路１０に支持し、案内板１９と支持部２０の間に弾性を有する防振部材２２を介して支持している構成とする。
【００５４】
上記構成により、モータ１３と案内板１９から発生する振動が固定部材２１に伝搬し、本体１１の外殻２３に伝わるのを、弾性体が吸収し、かつ、防振部材２２でも吸収する。
【００５５】
このように、ノズルが往復運動しても本体の振動がより発生することがないこととなる。
【００５６】
また、案内板１９と上側２４の支持部２０との間にばね機構２５を有する防振部材２２を設け、下方２６から防振部材２２に押し荷重を加えて保持している構成とする。
【００５７】
上記構成により、案内板１９と上側２４の支持部２０との間にばね機構２５を有する防振部材２２を設けて、下方２６から防振部材２２に押し荷重を加えて保持する。
【００５８】
このように、部品のばらつきによる振動を低減することができることとなる。
【００５９】
また、吹出口２７より下部２８にモータ１３を配置しない構成とする。
【００６０】
上記構成により、吹出口２７より下部２８にモータ１３を配置しない、すなわち、左右あるいは上部に配置する。
【００６１】
このように、水がかかりモータが故障することによる振動を低減することができることとなる。
【００６２】
また、モータ１３にトルクアップ機構２９を設けた構成とする。
【００６３】
上記構成により、トルクアップ機構２９によりモータ１３のトルクを向上させる。
【００６４】
このように、モータの負荷を低減し、振動を低減することができることとなる。
【００６５】
また、支持部２０は回転抵抗の低い回転体３０である構成とする。
【００６６】
上記構成により、回転抵抗の低い回転体３０で支持部２０が回転する。
【００６７】
このように、回転抵抗が低いことにより、スムーズに案内板が往復運動することにより、振動を低減するこができることとなる。
【００６８】
また、案内板１９に摺動方向３１と略平行になるよう壁面３２を設け、壁面３２間で支持部２０が摺動する構成とする。
【００６９】
上記構成により、案内板１９に摺動方向３１と略平行になるよう壁面３２で、支持部２０が摺動する。
【００７０】
このように、スムーズに案内板が往復運動することにより、摺動方向と垂直方向の振動を低減するこができることとなる。
【００７１】
また、案内板１９は摺動性の良い材料を使用した構成とする。
【００７２】
上記構成により、案内板１９が摺動性の良い材料である。
【００７３】
このように、案内板がスムーズに摺動することにより、振動を低減することができることとなる。
【００７４】
また、防振部材２２に摺動方向３１と略平行になるよう壁面３３を設けた構成とする。
【００７５】
上記構成により、防振部材２２に摺動方向３１と略平行になるよう壁面３３を設ける。
【００７６】
このように、スムーズに防振部材が往復運動することにより、摺動方向と垂直方向の振動を低減するこができることとなる。
【００７７】
また、防振部材２２は摺動性の良い材料を使用した構成とする。
【００７８】
上記構成により、防振部材２２が摺動性の良い材料である。
【００７９】
このように、防振部財がスムーズに摺動することにより、振動を低減することができることとなる。
【００８０】
また、案内板１９の上側２４を支持する支持部２０は、ばね機構２５で上方から押し荷重を加えて保持している構成とする。
【００８１】
上記構成により、案内板１９の上側を支持する支持部２０は、ばね機構２５で上方から押して荷重を加えて保持する。
【００８２】
このように、部品のばらつきによる振動を低減することができることとなる。
【００８３】
また、支持部２０は回転軸３４を有し、ばね機構２５で引っ張り荷重を加えて案内板を保持している構成とする。
【００８４】
上記構成により、回転軸３４を有した支持部２０を、ばね機構２５で引っ張り荷重を加えて案内板を保持する。
【００８５】
このように、部品のばらつきによる振動を低減することができることとなる。
【００８６】
また、回転軸３４を有する支持部２０で案内板１９を押さえ、支持部２０にかかる荷重を調整できるようばね固定位置３５が変更できる構成とする。
【００８７】
上記構成により、回転軸３４を有する支持部２０で案内板１９を押さえて、支持部２０にかかる荷重を調整できるようばね固定位置３５が変更でき、一定の荷重で押さえられる。
【００８８】
このように、案内板が安定した往復運動をし、振動を低減することができることとなる。
【００８９】
また、支持部２０にかかる荷重が一定となるよう自動で調整する構成とする。
【００９０】
上記構成により、回転軸３４を有する支持部２０で案内板１９を押さえ、自動で支持部にかかる荷重が一定となるようにする。
【００９１】
このように、案内板が更に安定した往復運動をし、振動を低減することができることとなる。
【００９２】
（実施の形態２）
実施の形態１と同じ構成ついては同じ符号を付し、詳しい説明は省略する。
【００９３】
実施の形態１と異なるところは、図８、図９に示すように、案内板１９のリンク１８側に、案内板１９を補強する補強部３６を設ける。そして、その補強部３６の形状は、リンク１８と案内板１９との間にＲ形状部３７を設ける、詳しくは、案内板１９側に凹を形成しその凹の部分が曲線状となるようにＲ状の形状とする。更に、案内板１９に、Ｒ形状部３７からノズルを挟んだ反対側３８に案内板１９を補強する補強リブ３９を設けたものである。
【００９４】
このような構成により、摺動による案内板１９の亀裂破損を力がかかるリンク１８側に補強部３６を設けたので、力が補強部３６にかかるが補強部３６により力が吸収されるので、結果、案内板が亀裂破損をして他部品を当たって破損したり振動を発生したりということが防げる。
【００９５】
また、補強部３６に、リンク１８と案内板１９との間にＲ形状部を設けたので、摺動による案内板１９の亀裂破損を力がかかるリンク１８側に補強部３６を、材料を少なくしたＲ形に力がかかり実用上問題なく吸収されるので、より少ない材料で案内板が亀裂破損をして他部品を当たって破損したり振動を発生したりということが防げる。
【００９６】
また、更に、案内板１９に補強リブ３９を設けたので、摺動による案内板１９の亀裂破損を力がかかるノズル７を挟んだ反対側３８のリンク１８側、すなわち、補強部３６に相対する側に補強リブ３９を設けたので、力が補強リブ３９にかかるが補強リブ３９により力が吸収されるので、結果、案内板が亀裂破損をして他部品を当たって破損したり振動を発生したりということが防げる。
【産業上の利用可能性】
【００９７】
本発明の手乾燥装置は、レストランやホテルなどの洗面所やトイレに設置され、また病院や手術室や調理場においても適用される。
【符号の説明】
【００９８】
１    外気
２    吸込口
３    高圧気流発生装置
４    風路
５    面
６    吸込風路
７    ノズル
８    風路
９    面
１０  吹出風路
１１  本体
１２  噴出方向
１３  モータ
１４  クランク
１５  一方の軸
１６  偏心
１７  別の軸
１８  リンク
１９  案内板
２０  支持部
２１  固定部材
２２  防振部材
２３  外殻
２４  上側
２５  ばね機構
２６  下方
２７  吹出口
２８  下部
２９  トルクアップ機構
３０  回転体
３１  摺動方向
３２  壁面
３３  壁面
３４  回転軸
３５  ばね固定位置
３６  補強部
３７  Ｒ形状部
３８  反対側
３９  補強リブ
【図１】
2011036635.tif 000003
【図２】
2011036635.tif 000004
【図３】
2011036635.tif 000005
【図４】
2011036635.tif 000006
【図５】
2011036635.tif 000007
【図６】
2011036635.tif 000008
【図７】
2011036635.tif 000009
【図８】
2011036635.tif 000010
【図９】
2011036635.tif 000011